(57)【特許請求の範囲】
【請求項１】
浴水を浴槽と清浄化機構の間を循環させて浄化する浴水清浄化装置において、
前記浴水を導入し、加熱して蓄えるための手段と、
該蓄えるための手段からの所定温度の湯を浴槽に間欠的に供給するための手段と、
前記浴水の温度を検出するための手段と、を備え；
前記浴水の温度を検出するための手段により浴水の温度を検出し、浴水の温度が所定値以下になった時に、前記供給するための手段が、所定回数間欠的に前記蓄えるための手段からの所定温度の湯を浴槽に供給し、
その後、所定時間浴水を浴槽と清浄化機構との間を所定時間循環させ、
前記浴水の温度を検出するための手段により浴水の温度を検出し、浴水の温度が所定値温度になるまで、前記供給するための手段による間欠供給と前記所定時間循環を繰り返す、
ことを特徴とする浴水清浄化装置。
【発明の詳細な説明】
【０００１】
【発明の属する技術分野】
この発明は浴水浄化装置に関する。
浴槽の湯を汲み上げて所定の浄化機構に通した上で、再び浴槽に戻す行程を繰り返して、浴槽の湯を絶えず清浄に保つ浴水浄化装置が近年広く普及している。このような浴水浄化装置においては、循環ポンプにより浴水を強制的に循環させ、活性炭等によるろ過やオゾン等による殺菌を行うと同時に電気ヒータにより所定の温度を保つようになっているのが普通である。
【０００２】
【発明が解決しようとする課題】
しかし、電気ヒータは熱量が小さいため、急速に温度を上昇させることができず、そのため電気ヒータにより常に浴水の温度を保っている必要があり、電気に自体の高コストに加えて常に加熱することによる熱的なロスが大きく、全体としてランニングコストが高くなる問題があった。
このような問題点を解決するために、深夜電力等の低コストの熱源により加熱した湯を蓄熱槽に蓄えておき、この高温の湯を浴槽に供給することにより、高速の加熱とコスト減とを実現しようとする試みがなされている。
しかし、このようなシステムの場合、低コストで且つ高速の加熱が可能である反面、高温の湯を浴槽に供給するため、浴槽内の人体に火傷等を負わす等の可能性があり、危険を伴う問題があり、また使用者に不快感を与える等の欠点があった。
本発明は上記した問題点に鑑みてなされたもので、高温の湯を浴槽に供給するに際して、火傷等の危険を防止し得る浴水清浄化装置を提供することを目的とする。
【０００３】
【課題を解決するための手段】
上記目的を達成するために本発明は、浴水を浴槽と清浄化機構の間を循環させて浄化する浴水清浄化装置において、前記浴水を導入し、加熱して蓄えるための手段と、該蓄えるための手段からの所定温度の湯を浴槽に間欠的に供給するための手段と、前記浴水の温度を検出するための手段と、を備え；前記浴水の温度を検出するための手段により浴水の温度を検出し、浴水の温度が所定値以下になった時に、前記供給するための手段が、所定回数間欠的に前記蓄えるための手段からの所定温度の湯を浴槽に供給し、その後、所定時間浴水を浴槽と清浄化機構との間を所定時間循環させ、前記浴水の温度を検出するための手段により浴水の温度を検出し、浴水の温度が所定値温度になるまで、前記供給するための手段による間欠供給と前記所定時間循環を繰り返す、ことを特徴とする。
供給するための手段は間欠的に湯を浴槽に供給するため、高温の湯が一度に大量に浴槽に流れ込むことがなく、火傷等人体に危険を及ぼすことがない。
また、前記浴水の温度を検出するための手段を更に備え、前記供給するための手段が、前記浴水の温度が所定値以下になった時に、該浴水の温度が所定温度になるまで、間欠的に前記蓄えるための手段からの所定温度の湯を浴槽に供給し、その後所定時間循環させて、浴水の温度が所定値温度になるまで、間欠供給と循環を繰り返すように構成しているため、自動的に所定温度の湯を浴槽に供給し、浴槽の湯温を所定の値に安定的に維持できる。
【０００４】
【発明の実施の形態】
以下本発明の実施の形態を図面に基づいて説明する。
図１において、本体１は通常屋外に設置され、浴槽２とは、入水管３、出水管４によりつながっている。使用者は浴室の壁面に取り付けられた操作パネル５により、運転、停止等を行う。操作パネル５は、本体内の制御装置６とコードにより接続されており、本体内の運転状態・湯温・時刻・各種警告等の表示を行うようになっている。
【０００５】
入水管３の先の浴槽内にはプレフィルタ８が接続され、ここから浴水が本体に吸い込まれるようになっている。入水管３の他方の本体側には、循環ポンプ９が取り付けられている。
循環ポンプ９の出水側は殺菌ランプ７に接続され、浴水はここで殺菌された上で、濾過材タンク１０に送られ、ここで浄化されるようになっている。濾過材タンク１０の中には、セラミックボール・活性炭等の濾過材が入っており、浴水の浄化を行う。
【０００６】
濾過材タンク１０の出側には補助ヒータ２６が設けられ、更に補助ヒータ２６の出側は加温バルブ１６に接続されている。
該加温バルブ１６の出側は選択的に蓄熱槽１１と接続されている。通常は出水管４側にのみ接続し、蓄熱槽１１側は閉じられており、加熱が必要な時にのみ蓄熱槽１１に接続して、蓄熱槽１１の下部から浴水を供給するようになっている。出水管４はジェットノズル２１に接続され、ここから浴水を浴槽２に戻すようになっている。
【０００７】
蓄熱槽１１には蓄熱槽ヒータ１８が装着されており、深夜電力を利用して導入された浴水を所定温度（約８５℃）まで加熱するようになっている。
また、蓄熱槽１１には上部温度センサ１３、残湯センサ１４、及び下部温度センサ１５が装着されており、蓄熱槽１１内の湯の温度及び残量を検出できるようになっている。
尚、浴水（４０°Ｃ程度）と高温水は密度が異なるため、蓄熱槽１１に入った浴水分だけ高温水が蓄熱槽１１から出ていき、蓄熱槽１１内で浴水と高温水は混合しない。
蓄熱槽１１上部は混合バルブ１７の他方の入水側と接続されている。混合バルブ１７は、加温バルブ１６からの浴水と蓄熱槽１１上部より出てきた高温水を、内部の弁を調節して、適切な所定の湯温にして、安全弁１９を介して出水管４に供給し、ジェットノズル２１より浴槽２に間欠的に吐出させるようになっている。
【０００８】
入水管３には、浴水温度検出センサ２０が取り付けられており、使用者が設定した保温温度より、浴水温度検出センサ２０で検知した浴水温度が下がった場合は、加温バルブ１６の蓄熱槽１１側を開いて、蓄熱槽１１に浴水を供給し、これにより蓄熱槽１１の上部から高温の湯を混合バルブ１７に供給して、ここで浴水と高温水を混合して浴槽に間欠的に吐出するように構成されている。浴水温度が保温温度より所定値（０．５°Ｃ程度）上回ったら、高温水の混合を停止して浴水のみを浴槽に吐出する。これは加温バルブ１６を制御装置６により制御することにより実行される。弁は、パルスモータ等で制御されている。
混合バルブ１７の吐出側は、出水管４に接続し、ジェットノズル２１につながっている。
【０００９】
なお、補助ヒータ２６は、冬期等において蓄熱槽１１の高温水だけでは浴槽の浴水の保温ができなくなった場合に使用され、この補助ヒータ２６により、経済的に常に所望温度に浴水を保持することが可能になる。
【００１０】
ジェット用電磁弁２３、エアーフィルタ２４がジェットノズル２１にエアーチューブ２５を介して接続され、操作パネル５のジェットキーの操作によりジェット用電磁弁２３をオンして、空気をジェットノズル２１より噴出できるようになっている。ジェットノズル２１は、内径を細くして空気が混入するようになっている。
なお循環ポンプ９に並列に圧力センサ１２が設けられ、浴水の水位低下を検出できるようになっている。
【００１１】
混合バルブ１７から高温の湯を出水管４及びジェットノズル２１を介して供給する際には、制御装置６は循環ポンプ９を断続的に運転して、高温の湯が直接人体に触れて火傷を起こしたり、或いは不快感を与えることを防止するようになっている。
【００１２】
図２によりこの動作を説明する。
最初にｘ＝０とおき（ステップＳ１）、浴水温度検出センサ２０により浴水の温度を検出し（ステップＳ２）、設定温度より低いと（ステップＳ３）加温バルブ１６を制御して蓄熱槽１１側の出水口を開として蓄熱槽１１から高温の蓄湯を混合バルブ１７へと供給させる（ステップＳ４）。そして、循環ポンプ９を２秒間オンし、次いで２秒間オフとし（ステップＳ５）、この動作を５回繰り返す（ステップＳ６、７）。この間に混合バルブ１７から高温の湯が間欠的に浴槽２に供給される。５回繰り返したら、加温バルブ１６の蓄熱槽１１側を閉じ（ステップＳ８）、循環ポンプ９を１０秒運転して浴水の温度を均一化させた上で（ステップＳ９）、ステップＳ１に戻り、浴水温度が設定温度に達するまで上記動作を繰り返す。
【００１３】
以上説明した実施形態によれば、常に設定した温度に浴水の温度を維持することが可能になり、しかも高温の湯は浴槽に間欠的に供給されるため、使用者に大量の高温湯が直接当たることがなく、火傷の危険や不快感を防止することが可能になる。
【００１４】
【発明の効果】
以上説明したように本発明の浴水浄化装置によれば、蓄えるための手段からの湯の供給により、急速な加熱が可能となり、しかも間欠的に湯が供給され、循環により均一化されるため、快適に使用でき、火傷などの危険がない等の効果がある。また循環により湯温度を正確に検出でき、正確な湯温度の管理が可能である。
【図面の簡単な説明】
【図１】本発明の一実施形態を示す概略ブロック図。
【図２】本発明の一実施形態における動作を示すフローチャート図。
【符号の説明】
１：本体、２：浴槽、３：入水管、４：出水管、５：操作パネル、６：制御装置、７：殺菌ランプ、８：プレフィルタ、９：循環ポンプ、１０：濾過材タンク、１１：蓄熱槽、１２：圧力センサ、１３：上部温度センサ、１４：残湯センサ、１５：下部温度センサ、１６：加温バルブ、１７：混合バルブ、１８：蓄熱槽ヒータ、１９：安全弁、２０：浴水温度検出センサ、２１：ジェットノズル、２３：ジェット用電磁弁、２４：エアーフィルタ、２５：エアーチューブ、２６：補助ヒータ。
【図１】
0003708625.tif 000002
【図２】
0003708625.tif 000003